(57)【要約】【課題】  所定のテレビ番組等の番組の視聴率に応じた広告価格を決定することができ、もって、視聴率を考慮して公平に広告を表示させることができるという効果を有する広告料金設定システムおよび広告料金設定プログラムを提供する。【解決手段】  入力キーワードに適合する広告を検索して抽出する広告検索手段と、広告に関する情報を広告データとして記憶する広告データベースと、番組との関連度である番組関連度を算出する関連度算出手段と、番組関連度の算出に必要な所定の情報を記憶する番組キーワードデータベースと、番組関連度および番組の視聴率に基づいて広告料金を決定する広告料金決定手段と、視聴率に関する情報を視聴率データとして記憶する視聴率入力（取得）手段と、を備える。【選択図】図１
2006237893.tif 000002
【特許請求の範囲】
【請求項１】
入力キーワードに適合する広告を検索して抽出する広告検索手段と、
前記広告に関する情報を広告データとして記憶する広告データベースと、
番組との関連度である番組関連度を算出する関連度算出手段と、
前記番組関連度の算出に必要な所定の情報を記憶する番組キーワードデータベースと、
前記番組関連度および前記番組の視聴率に基づいて広告料金を決定する広告料金決定手段と、
前記視聴率に関する情報を視聴率データとして記憶する視聴率取得手段と、
を備えることを特徴とする広告料金設定システム。
【請求項２】
番組と関連する広告の依頼を受け付ける広告依頼受付手段と、
前記広告依頼受付手段が受け付けた番組と関連する広告の依頼が、この番組の放送開始前の予め決められた１つ以上の時間枠内になされたとき、前記番組と関連する広告の広告料金を前記時間枠に応じて割り引き、前記番組と関連する広告の広告料金の締結割引情報を、前記広告に関する情報に含めて前記広告データベースに記憶させる広告料金割引手段と、
を備えることを特徴とする請求項１に記載の広告料金設定システム。
【請求項３】
コンピュータに、入力された入力キーワードに適合する広告を広告に関する情報を有する広告データベースから検索して抽出する広告検索ステップと、
番組との関連度である番組関連度を番組関連度の算出に必要な所定の情報を有する番組キーワードデータベースに基づき算出する関連度算出ステップと、
視聴率に関する情報を視聴率データとして取得する視聴率データ取得ステップと、
番組関連度および番組の視聴率に基づいて広告料金を決定する広告料金決定ステップと、
を実行させることを特徴とする広告料金設定プログラム。
【請求項４】
前記広告料金設定プログラムは、
コンピュータに、さらに、番組と関連する広告の依頼を受け付ける広告依頼受付ステップと、
前記広告依頼受付ステップで受け付けた番組と関連する広告の依頼が、この番組の放送開始前の予め決められた１つ以上の時間枠内になされたとき、前記番組と関連する広告の広告料金を前記時間枠に応じて割り引く広告料金割引ステップと、
を実行させ、
前記広告データベースは、前記番組と関連する広告の広告料金の締結割引情報を、前記広告に関する情報に含めて記憶すること
を特徴とする請求項３に記載の広告料金設定プログラム。
【発明の詳細な説明】
【技術分野】
【０００１】
本発明は、インターネット上のホームページに表示する広告の料金を設定する広告料金設定システムおよび広告料金設定プログラムに関する。
【背景技術】
【０００２】
近年、テレビやラジオを点けながらインターネットを利用するインターネット利用者や、テレビ番組やラジオ番組で話題に上がったことを掲載したホームページにアクセスするインターネット利用者が増えている。
【０００３】
このような番組で、例えば、特定のダイエット食品や健康食品について、効果が絶大であることが話題に上がったときなど、番組で取り上げられたダイエット食品や健康食品についてより詳細な情報を得ようとして、関連するホームページへのアクセスが集中する。
【０００４】
一方、ホームページにアクセスするインターネット利用者を対象に宣伝広告を閲覧させようとして、ホームページ等に広告を表示することが一般的に行われるようになってきた。そして、ホームページ等に広告を表示するには所定の料金が必要であり、広告を表示するための広告料金は、アクセス回数の累積値や、入札等によって決められている（例えば、非特許文献１および非特許文献２を参照）。
【０００５】
具体的には、１回のクリック当りの料金を予め定めておき、クリックの回数を掛け合わせたものを上記の広告料金とするＣＰＣ（Cost per Click）という方法がある（例えば、非特許文献１を参照）。また、非特許文献２に開示されたオーバーチュア（overture）等のオークション型広告システムでは、広告を表示する順位を入札金額に応じて決定し、この料金を広告料金に反映させる方法などがとられている（例えば、非特許文献２参照）。
【非特許文献１】インターネット（https://adworde.google.co.jp/select/steps.html）
【非特許文献２】インターネット（http://www.nikko-ad.jp/contents/sem/sem?overture.html）
【発明の開示】
【発明が解決しようとする課題】
【０００６】
しかし、このような従来の広告料金の設定に係る技術では、テレビ等を視聴してホームページにアクセスする視聴者に対する広告効果を適切に算出していないという問題があった。
【０００７】
係る視聴者は、漫然とネットワーク上のホームページを閲覧して回る利用者とは異なり、明確な目的意識の下にホームページにアクセスするもので、係る視聴者に適切な広告を提供することの広告効果はきわめて高いものと考えられ、ホームページ上の広告の広告効果に所定のテレビ番組等の視聴の効果を取り込むべきであった。
【０００８】
本発明はこのような問題を解決するためになされたもので、所定のテレビ番組等の番組の視聴率に応じた広告価格を決定することができ、もって、視聴率を考慮して公平に広告を表示させることを可能とする広告料金設定システムおよび広告料金設定プログラムを提供するものである。
【課題を解決するための手段】
【０００９】
以上の点を考慮して、請求項１に記載の発明は、入力キーワードに適合する広告を検索して抽出する広告検索手段と、広告に関する情報を広告データとして記憶する広告データベースと、番組との関連度である番組関連度を算出する関連度算出手段と、番組関連度の算出に必要な所定の情報を記憶する番組キーワードデータベースと、番組関連度および番組の視聴率に基づいて広告料金を決定する広告料金決定手段と、視聴率に関する情報を視聴率データとして記憶する視聴率取得手段とを備えた構成を有している。
【００１０】
この構成により、広告料金決定手段が、番組関連度および番組の視聴率に基づいて広告料金を決定するため、インターネット上の広告の広告料金を番組の視聴に応じた広告価格を決定することができ、もって、視聴率を考慮して公平に広告を表示させることが可能な広告料金設定システムを実現できる。
【００１１】
また、請求項２に係る発明は、請求項１において、前記広告料金設定システムが、さらに、番組と関連する広告の依頼を受け付ける広告依頼受付手段と、前記広告依頼受付手段が受け付けた番組と関連する広告の依頼が、この番組の放送開始前の予め決められた１つ以上の時間枠内になされたとき、前記番組と関連する広告の広告料金を前記時間枠に応じて割り引き、前記番組と関連する広告の広告料金の締結割引情報を、前記広告に関する情報に含めて前記広告データベースに記憶させる広告料金割引手段とを備えた構成を有している。
【００１２】
この構成により、請求項１の効果に加え、受け付けた番組と関連する広告の時間枠に応じて広告料金を割り引くため、早く申し込んだ依頼者の広告料金を安くする等ができ、広告枠を早期に埋めやすくすること等が可能な広告料金設定システムを実現できる。
【００１３】
また、請求項３に係る発明は、請求項２において、コンピュータに、入力された入力キーワードに適合する広告を広告に関する情報を有する広告データベースから検索して抽出する広告検索ステップと、番組との関連度である番組関連度を番組関連度の算出に必要な所定の情報を有する番組キーワードデータベースに基づき算出する関連度算出ステップと、視聴率に関する情報を視聴率データとして取得する視聴率データ取得ステップと、番組関連度および番組の視聴率に基づいて広告料金を決定する広告料金決定ステップとを実行させる構成を有している。
【００１４】
この構成により、広告料金決定ステップが、番組関連度および番組の視聴率に基づいて広告料金を決定するため、インターネット上の広告の広告料金を番組の視聴率に応じた広告価格を決定することができ、もって、視聴率を考慮して公平に広告を表示させることが可能な広告の料金設定プログラムを実現できる。
【００１５】
また、請求項４に係る発明は、請求項３において、前記広告料金設定プログラムが、コンピュータに、さらに、番組と関連する広告の依頼を受け付ける広告依頼受付ステップと、前記広告依頼受付ステップで受け付けた番組と関連する広告の依頼が、この番組の放送開始前の予め決められた１つ以上の時間枠内になされたとき、前記番組と関連する広告の広告料金を前記時間枠に応じて割り引く広告料金割引ステップとを実行させ、前記広告データベースは、前記番組と関連する広告の広告料金の締結割引情報を、前記広告に関する情報に含めて記憶する構成を有している。
【００１６】
この構成により、請求項３の効果に加え、受け付けた番組と関連する広告の時間枠に応じて広告料金を割り引くため、早く申し込んだ依頼者の広告料金を安くする等ができ、広告枠を早期に埋めやすくすることが可能な広告の料金設定プログラムを実現できる。
【発明の効果】
【００１７】
本発明は、広告料金決定手段が、番組関連度および番組の視聴率に基づいて広告料金を決定するため、所定のテレビ番組等の番組の視聴率に応じた広告価格を決定することができ、もって、視聴率を考慮して公平に広告を表示させることができるという効果を有する広告料金設定システムおよび広告料金設定プログラムを提供できる。
【発明を実施するための最良の形態】
【００１８】
以下、本発明の実施の形態について、図面を用いて説明する。
【００１９】
（第１の実施の形態）
図１は、本発明の第１の実施の形態に係る広告料金設定システムのブロック構成を示す図である。図１において、広告料金設定システム１００は、入力されたキーワード（以下、入力キーワードという。）に適合する広告を検索して抽出する広告検索手段１１０と、広告に関する情報（以下、広告データという。）を記憶する広告データベース１２０と、番組との関連度（以下、番組関連度という。）を算出する関連度算出手段１３０と、番組関連度の算出に必要な所定の情報（以下、番組キーワードという。）を記憶する番組キーワードデータベース１４０と、番組関連度および番組の視聴率に基づいて広告料金を決定する広告料金決定手段１５０と、視聴率に関する情報（以下、視聴率データという。）を記憶する視聴率取得手段（視聴率ＤＢ：視聴率データベース）１６０とを備える。
【００２０】
図１において、広告検索手段１１０には、ネットワークを介してインターネットの利用者が入力したキーワードが入力される。広告検索手段１１０は、広告データベース（広告ＤＢ）１２０が記憶する広告データの中から、入力キーワードに適合する広告データを検索して抽出する。なお、検索の方法については、周知であるため、その説明を省略する。
【００２１】
広告データベース１２０は、上記の広告データとして登録されたデータを複数予め記憶し、広告検索手段１１０からの要求に応じて記憶する広告データを出力するようになっている。ここで、図２に参照されるように、広告データベース１２０に記憶される広告データは、広告を識別するための広告ＩＤ、広告主名、広告主によってまたは広告主の依頼で作成された広告そのものである広告本文、広告に関連するキーワード（以下、広告関連キーワードという。）、過去からの累積による現在までの広告料金の合計である累積広告料金、広告作成の年月日等や広告の掲載開始日および掲載終了日等の所定の情報が含まれ、検索は、その広告のリンク先ＵＲＬや、あるいは検索エンジンによる検索にてヒットされるための広告関連キーワードを対象にして行うものとする。なお、広告関連キーワードとしては、広告対象の商品名、広告対象の商品名のセールスポイント、広告対象の性能、商品の提供者名等のその他の情報が該当する。
【００２２】
広告検索手段１１０は、入力キーワードに適合する広告関連キーワードを有する広告データを抽出したとき、少なくとも検索で適合した入力キーワードを関連度算出手段１３０に出力する。以下、検索で適合した入力キーワードを、適合入力キーワードという。関連度算出手段１３０は、番組キーワードデータベース１４０に記憶された番組キーワードに基づいて、適合入力キーワードと番組との番組関連度を算出する。番組関連度の算出方法の具体例を以下に説明する。
【００２３】
第１の算出方法として、対象とする番組と同じジャンルの番組で過去に使用された所定の用語を複数集め、番組キーワードとして番組キーワードデータベース１４０に登録しておき、番組キーワードデータベース１４０に登録された番組キーワードを対象に適合入力キーワードの検索を行い、適合入力キーワードに対応する番組キーワードが抽出されたか否かで評価する方法がある。
【００２４】
第２の方法として、合成語等の複数の言葉からなるキーワードをも番組キーワードとして番組キーワードデータベース１４０に登録しておき、検索で抽出されたキーワードの数の多さで評価する方法でもよい。第３の方法として、適合入力キーワードと番組キーワードとが完全に一致しない場合等のときに、これら２つのキーワードの一致度で評価する方法でもよい。この方法によって、適合入力キーワードに必ずしも一致しないが、一致しなくても適合入力キーワードと類似し同様の意味を示す番組キーワードがあるとき、関連性を算出できることになる。
【００２５】
また、第４の方法として、番組に関連する情報を予め取得して番組キーワードとして番組キーワードデータベース１４０に登録しておき、番組キーワードデータベース１４０に登録された番組キーワードを対象に上記のように評価する方法でもよい。
【００２６】
これによって、予定された番組で用いられるキーワードを番組キーワードとして確保できる。なお、第４の方法の番組キーワードと上記の第１から第３の方法で用いる番組キーワードとを番組キーワードデータベース１４０に関連度算出用に登録しておくのでもよい。
【００２７】
さらに、第５の方法として、デジタル放送等の放送を受信しながら対象とする番組中で使用された所定の用語を逐次、番組キーワードとして番組キーワードデータベース１４０に登録し、番組キーワードデータベース１４０に登録された番組キーワードを対象に上記のように評価する方法でもよい。
【００２８】
第５の方法をとる広告料金設定システムには、図３に示すように、図１に示す広告料金設定システム１００に、放送を受信する受信手段２１０と、受信手段２１０が受信した番組中で使用された用語から、例えば、商品となりうる名称等の用語を取得する番組キーワード取得手段２２０とを付加する必要がある。これによって、リアルタイムで進行中の番組の番組キーワードを取得し、登録することができる。
【００２９】
さらに、第６の方法として、図４に示すように、受信手段２１０が受信した音声信号をデジタル情報として番組キーワードデータベース（番組ＫＷＤＢ）１４０に記憶させ、番組キーワード取得手段２２０が関連度算出手段１３０からの要求により、関連度算出手段１３０から入力された適合入力キーワードと一致または類似する音声信号を番組キーワードデータベース１４０から抽出し、テキストデータとして関連度算出手段１３０に出力するのでもよい。この場合、関連度算出手段１３０は、番組キーワード取得手段２２０から出力されたテキストデータを対象に番組関連度を算出するように動作する。
【００３０】
また、番組が健康の維持増進に関する事項を報道するもの（以下、健康番組という。）等の所定の番組の場合、番組キーワードデータベース１４０に替えて所定の辞書機能を有するデータベースとし、この辞書機能を有するデータベースを用いて番組関連度を算出するのでもよい。具体的には、健康番組を例にとると、番組キーワードとして、栄養剤、食材等の用語または商品名をとること、運動に関連する用語をとること、または、これらを合わせたものをとること等があげられる。
【００３１】
上記では、番組関連度の算出方法について説明したが、本発明は、必ずしも、上記の算出方法に限定されるものではなく、番組キーワードデータベース１４０に登録または記憶させることとした上記の情報を組み合わせて番組キーワードデータベース１４０に記憶させ番組関連度を算出するのでも、番組関連度を算出できるものであれば他の方法でもよい。
【００３２】
なお、番組キーワードデータベース１４０は、図５に参照されるように、番組の放送の日付、放送の曜日、放送時間、番組名、番組キーワード、またあるいは必要に応じて音声データ等のうちの所定のものを記憶する。そして、関連度算出手段１３０または番組キーワード取得手段２２０からの要求に応じて記憶する情報を出力するようになっている。また、関連度算出手段１３０は、少なくとも、番組関連度の情報を広告料金決定手段１５０に出力するようになっている。
【００３３】
広告料金決定手段１５０には、広告料金決定手段１５０から少なくとも番組関連度の情報が入力される。広告料金決定手段１５０は、例えば、５分、１０分、１５分、２０分、３０分等の所定の時間幅で分けられた時間帯毎に広告料金の金額を決定する。広告料金決定手段１５０は、番組関連度の情報が入力されると、番組関連度が所定の閾値以上か否かを判断し、閾値以上と判断したとき、視聴率データベース１６０が外部から取得し記憶している視聴率データに基づいて広告料金の金額を決定し、閾値端末と判断したときは、予め決められた金額（以下、通常単価という。）を広告料金として決定するようになっている。
【００３４】
広告料金決定手段１５０は、広告料金の金額を、視聴率データが高くなるにつれて上昇するように設定するものとする。視聴率が高いほど広告効果が高まるからである。図６は、広告料金決定手段１５０が決定する広告料金の単価の例を示す説明図である。広告料金決定手段１５０は、例えば、図６（ａ）に示すように、視聴率１０％を基準に広告料金の単価を切り替えるのでも、図６（ｂ）に示すように、複数の視聴率の基準（図６（ｂ）では、１０％と２０％。）を設けて広告料金の単価を切り替えるのでも、図６（ｃ）に示すように、０％から所定の視聴率（図６（ｃ）では１０％。以下、上昇開始点という。）までは一定で、それ以上の視聴率では単調に増加するように広告料金の単価を決定するのでもよい。
【００３５】
なお、図６（ｃ）には、上昇開始点から、視聴率の変化に比例して広告料金の単価が上昇する例（曲線（Ａ））と、視聴率の変化の１乗以上で広告料金の単価が上昇する例（曲線（Ｂ））が示されている。ただし、広告料金の金額の決定方法は上記の方法に限定されるものではなく、視聴率の上昇に応じて広告料金の金額が高くなるものであれば、その他の方法でもよい。
【００３６】
また、視聴率データベース１６０は、例えば１０秒、１５秒、２０秒、３０秒、１分、２分、５分、１０分、１５分、２０分、３０分等の所定の時間間隔で得られた視聴率データを記憶する。そして、視聴率データベース１６０に記憶されるデータの時間間隔が、広告料金決定手段１５０によって行われる金額の決定の時間幅に比して小さいときは、金額を決定する対象の時間帯の視聴率データの平均値を用いる。
【００３７】
さらに、図７に示すように、視聴率データベース１６０の具体的な構成としては、視聴率が調査された曜日、調査の時間、番組名、視聴率等を含んでいる。
【００３８】
広告料金決定手段１５０が行う平均値の算出方法は、例えば、図８に示すように金額を決定する対象の時間帯の視聴率データを単純平均して四角のボックスのようにし、このボックスの高さを視聴率データとして算出する方法があるが、視聴率の高さを適切に反映するものであれば他の算出方法でもよい。ただし、広告料金の金額決定の時間間隔と等しい複数の視聴率データを予め記憶しておき、平均値の算出を行わないようにしてもよい。
【００３９】
以下、視聴率データベース１６０に記憶されるデータの時間間隔が、広告料金決定手段１５０によって行われる金額の決定の時間幅に比して小さいものとし、視聴率データベース１６０は、番組関連度が上記の閾値以上と判断したとき、図８に示すような算出方法で視聴率データを算出するものとする。
【００４０】
図９は、本発明の広告料金設定システムの具体的なブロック構成を示す図である。広告料金設定システム１００は、図９に示すように、通信機能を有するコンピュータ等によって構成され、キーワード等の所定の信号が入力される受信インタフェース６０１と、広告料金設定システム１００の機能を実現するための所定の情報処理を行うＣＰＵ（Ｃｅｎｔｒａｌ  Ｐｒｏｃｅｓｓｉｎｇ  Ｕｎｉｔ）６０３と、ＣＰＵ６０３を立ち上げるためのＯＳ（Ｏｐｅｒａｔｉｎｇ  Ｓｙｓｔｅｍ）やその他のプログラムおよびパラメータ等を記憶するＲＯＭ（Ｒｅａｄ  Ｏｎｌｙ  Ｍｅｍｏｒｙ）６０２と、ＣＰＵ６０３が動作に用いるＯＳやアプリケーションの実行コードやデータ等を記憶するＲＡＭ（Ｒａｎｄｏｍ  Ａｃｃｅｓｓ  Ｍｅｍｏｒｙ）６０４と、広告データ、番組キーワード、視聴率データ、閾値等の所定のデータ、広告料金の決定に必要な情報、および、アプリケーションソフトを不揮発かつ書替可能に記憶するハードディスク６０５と、広告料金等の所定の信号を出力する送信インタフェース６０６とを含む。
【００４１】
以下、本発明の第１の実施の形態に係る広告料金設定システム１００の動作について説明する。図１０は、本発明の第１の実施の形態に係る広告料金設定システム１００の動作を説明するためのフローチャートである。
【００４２】
まず、インターネットの利用者が入力したキーワードがインターネット経由で受信インタフェース６０１によって受信され、広告検索手段１１０としてのＣＰＵ６０３に出力される（ステップ７１０：Ｓ７１０）。
【００４３】
次に、広告データベース１２０としてのハードディスク６０５に記憶された広告データを対象に、入力キーワードで広告検索手段１１０としてのＣＰＵ６０３によって検索がなされ、適合する広告データが広告データベース１２０に記憶された広告データ中にあるときは、適合する広告データが抽出され、適合する広告データがないときは、入力キーワードに対する応答は終了し、処理はステップ７１０に戻る（ステップ７２０：Ｓ７２０）。
【００４４】
ステップ７２０で適合する広告データが抽出されたとき、入力キーワードが関連度算出手段１３０としてのＣＰＵ６０３によって適合入力キーワードとして扱われ、番組キーワードデータベース１４０に記憶された番組キーワードに基づいて、適合入力キーワードと番組との番組関連度が関連度算出手段１３０としてのＣＰＵ６０３によって算出される（ステップ７３０：Ｓ７３０）。ここで、番組関連度の算出の詳細に関しては、上記で説明したため、その説明を省略する。
【００４５】
ステップ７３０で番組関連度が算出されたとき、番組関連度が所定の閾値以上か否かが広告料金決定手段１５０としてのＣＰＵ６０３によって判断される（ステップ７４０：Ｓ７４０）。ステップ７４０で閾値以上と判断されたとき、視聴率データベース１６０が記憶する視聴率データに基づいて、平均の視聴率が広告料金決定手段１５０としてのＣＰＵ６０３によって算出され（ステップ７５１：Ｓ７５１）、平均の視聴率に応じた広告料金の単価が決定される（ステップ７５２：Ｓ７５２）。広告料金の単価の決定方法については、上記で詳述したため更なる説明を省略する。
【００４６】
一方、ステップ７４０で番組関連度が閾値未満と判断されたとき、広告料金の単価として通常単価が広告料金決定手段１５０としてのＣＰＵ６０３によって決定される。
【００４７】
ステップ７５２またはステップ７６０で広告料金の単価が決定されたとき、アクセス数に応じた広告料金を算出し出力する（ステップ７７０：Ｓ７７０）。具体的には、ステップ７５２またはステップ７６０で決定された広告料金の単価にアクセス数を乗じたものを広告料金として算出する。なお、広告料金の決定方法により、広告料金を単価ではなく番組関連度に応じて決定するのでもよい。
【００４８】
広告料金の決定方法については上記で説明したため、更なる説明を処理する。上記で説明したステップ７１０からステップ７７０までの各ステップでの処理が、番組関連度に応じて広告料金を決定する番組が終了するまで繰り返される。ただし、短時間に集中する複数のアクセス（以下、ランプアクセスという。）に対しては、ステップ５７１およびステップ５７２の各ステップでの処理に代えて、ランプアクセスの最初のアクセスに対して算出した単価をランプアクセスの継続するアクセスに対して用いるように処理を行うステップとするのでもよい。
【００４９】
以上説明したように、本発明の第１の実施の形態に係る広告料金設定システムは、広告料金決定手段が、番組関連度および番組の視聴率に基づいて広告料金を決定するため、インターネット上の公告の広告料金を番組の視聴率に応じた広告価格を決定することができ、もって、視聴率を考慮して公平に広告を表示させることができる。
【００５０】
なお、本発明の第１の実施の形態では、広告料金設定システム１００を用いて上記のステップ７１０からステップ７７０までの各ステップでの動作を行う広告料金設定方法について説明したが、これらのステップ７１０からステップ７７０までの各ステップでの動作を含む広告料金設定動作を実行させるための広告料金設定プログラムがインストールされた所定のコンピュータを用いて実施することも可能である。
【００５１】
また、本発明の広告料金設定プログラムは既存の記録媒体に記録してもよく、あるいはインターネットなどのネットワークを介して提供してもよい。
【００５２】
（第２の実施の形態）
図１１は、本発明の第２の実施の形態に係る広告料金設定システムのブロック構成を示す図である。図１１に示すように、本発明の第２の実施の形態に係る広告料金設定システム４００は、本発明の第１の実施の形態に係る広告料金設定システム１００に、広告依頼受付手段４１０と、広告料金割引手段４２０とが付加された構成を有する。
【００５３】
広告依頼受付手段４１０は、本発明の第１の実施の形態で示した番組と関連する広告を対象に、広告の依頼を受け付ける。ここで、「番組と関連する広告」とは、番組キーワードデータベース１４０に登録される番組キーワードと所定値以上の一致度または類似度を有する入力キーワードで抽出される広告をいう。これによって、番組との関連度が確保される。ここで、広告依頼受付手段４１０は、過去の番組キーワード、予想された番組キーワード等、番組キーワードが予め得られている場合、広告の依頼者に番組キーワードの情報を提示または提供するようになっているのでもよい。
【００５４】
広告料金割引手段４２０は、広告依頼受付手段４１０が受け付けた番組と関連する広告の依頼が、この番組の放送開始前の予め決められた１つ以上の時間枠内になされたとき、番組と関連する広告の広告料金を時間枠に応じて割り引き、番組と関連する広告の広告料金の締結割引情報を、広告データに含めて広告データベース１２０に記憶させる。
【００５５】
ここで、締結割引情報は、番組と関連する広告の依頼が成立した際に、広告データベース１２０にされる。また、広告データベース１２０は、広告料金の割引の体系を示す割引体系情報を予め記憶し、広告依頼受付手段４１０は、広告の依頼の受付の際に上記の割引体系情報広告を依頼者に示すものでもよい。割引体系情報は、割引の対象となる依頼の時間枠、およびこの時間枠に対応する割引料金等の情報を含むものとする。
【００５６】
ここで、割引の対象となる依頼の時間枠としては、例えば、番組前の決められた１つ以上の期間があり、この期間は、例えば、日時によって決定されるのでも、さらに分、秒等を対象にするのでもよい。また、割引料金としては、例えば一定額を割り引くのでも、割引率で割り引くのでもよい。なお、割引料金は、上記の時間枠が複数ある場合は、時間帯毎に異なるのでもよい。また、早い時間枠での広告の依頼ほど、割引率を高くするのでもよい。本発明は、この他の割り引き方で割り引く方法を排除するものではなく、上記の割引方法に限定されるものではない。
【００５７】
上記の広告依頼受付手段４１０と広告料金割引手段４２０の機能は、図９に示す構成によって他の構成部の機能と共に実現される。
【００５８】
以下、本発明の第２の実施の形態に係る広告料金設定システム４００を構成する広告依頼受付手段４１０と広告料金割引手段４２０の動作について説明する。図１２は、本発明の第２の実施の形態に係る広告料金設定システム４００を構成する広告依頼受付手段４１０と広告料金割引手段４２０の動作を説明するためのフローチャートである。
【００５９】
まず、ネットワーク上の装置から番組と関連する広告の依頼を、広告依頼受付手段４１０として受信インターネット６０１を介して受信する（ステップ９１：Ｓ９１）。ここで、ＣＰＵ６０３は広告依頼受付手段４１０の機能の情報処理に関する部分をも実現するものとする。
【００６０】
次に、広告依頼受付手段４１０としてのＣＰＵ６０３は、広告データベース１２０としてのハードディスク６０５にアクセスして、番組キーワード、割引体系情報を参照し、送信インタフェース６０６を介してネットワーク上の広告の依頼者の装置に番組キーワード、割引体系情報を送信する（ステップ９２：Ｓ９２）。なお、このステップは予め広告等の他の手段によって、番組キーワード、割引体系情報が周知等となつている場合は省略することができる。
【００６１】
次に、受信インタフェース６０１を介して受信した広告の依頼が番組と関連する広告の依頼か否かが、広告依頼受付手段４１０としてのＣＰＵ６０３によって判断される（ステップ９３：Ｓ９３）。番組と関連する広告の依頼か否かについては、所定のスポンサー等が予め決められている場合、その様なスポンサーからの広告の依頼を、番組と関連する広告として扱うのでもよい。したがって、必ずしも番組キーワードとの一致性の高くない場合でもよいものとする。または、係るスポンサーの商品等に関連するキーワードを番組キーワードとして番組キーワードデータベース１４０に登録しておくのでもよい。
【００６２】
ステップ９３で、受信した広告の依頼が番組と関連する広告の依頼であると判断されたとき、この広告の依頼についての締結割引情報が、広告料金割引手段４２０としてのＣＰＵ６０３によって作成され（ステップ９４：Ｓ９４）、広告データと関連づけられて広告データベース１２０に記憶される（ステップ９５：Ｓ９５）。なお、広告料金の締結割引情報が作成されたとき、送信インタフェース６０６を介してネットワーク上の広告の依頼者の装置に広告料金の締結割引情報を送信するのでもよい。
【００６３】
なお、上記の構成の広告料金割引手段４２０は、受け付けた時間枠に応じて広告料金を割り引くものであり、広告を早く申し込んだ依頼者の広告料金を安くすることができる等の所定の効果が得られるものであるが、遅く受け付けた依頼についてはいかようにもできるものとなっている。そこで、広告料金割引手段４２０は、番組と関連する広告の広告枠がこの番組の放送開始前の所定時間になっても所定量以上残っているとき、この番組の広告料金をさらに割り引く機能を有するのでもよい。具体的には、番組開始の数日前、数時間前になっても予め決められた基準の広告枠が埋まっていないときに、割引率、割引金額等を上げるものである。
【００６４】
以上説明したように、本発明の第２の実施の形態に係る広告料金設定システムは、本発明の第１の実施の形態の効果に加え、受け付けた番組と関連する広告の時間枠に応じて広告料金を割り引くため、早く申し込んだ依頼者の広告料金を安くする等ができ、広告枠を早期に埋めやすくすること等ができる。
【００６５】
また、広告料金割引手段が、番組と関連する広告の広告枠がこの番組の放送開始前の所定時間になっても所定量以上残っているとき、この番組の広告料金をさらに割り引くため、広告配信の時間が迫っているとき等に売れずに残っている広告枠を削減することができる。
【００６６】
なお、本発明の第２の実施の形態では、広告料金設定システム４００を用いて上記のステップ７１０からステップ７７０まで、および、ステップ９１からステップ９５までの各ステップでの動作を行う広告料金設定方法について説明したが、これらのステップ７１０からステップ７７０およびステップ９１からステップ９５までの各ステップでの動作を含む広告料金設定動作を実行させるための広告料金設定プログラムがインストールされた所定のコンピュータを用いて実施することも可能である。
【００６７】
また、本発明の広告料金設定プログラムは既存の記録媒体に記録してもよく、あるいはインターネットなどのネットワークを介して提供してもよい。
【産業上の利用可能性】
【００６８】
本発明に係る広告料金設定システムおよび広告料金設定プログラムは、番組の視聴率に応じた広告価格を決定することができ、もって、視聴率を考慮して公平に広告を表示させることができるという効果が有用な、ネットワーク上の広告料金設定システムおよび広告料金設定プログラム等の用途にも適用できる。
【図面の簡単な説明】
【００６９】
【図１】本発明の第１の実施の形態に係る広告料金設定システムのブロック構成を示す図である。
【図２】本発明の第１の実施の形態に係る、広告データベースの構成例を示す。
【図３】過去の番組を受信して番組キーワードを取得する広告料金設定システムのブロック構成を示す図である。
【図４】放送中の番組を受信して番組キーワードを取得して付加する広告料金設定システムのブロック構成を示す図である。
【図５】本発明の第１の実施の形態に係る、番組キーワードデータベースの構成例を示す。
【図６】広告料金決定手段が決定する広告料金の単価の例を示す説明図である。
【図７】本発明の第１の実施の形態に係る、視聴率データベースの構成例を示す。
【図８】各時間帯の平均の視聴率を算出する方法の説明図である。
【図９】本発明の広告料金設定システムの具体的なブロック構成を示す図である。
【図１０】本発明の第１の実施の形態に係る広告料金設定システムの動作を説明するためのフローチャートである。
【図１１】本発明の第２の実施の形態に係る広告料金設定システムのブロック構成を示す図である。
【図１２】本発明の第２の実施の形態に係る広告料金設定システムの動作を説明するためのフローチャートである。
【符号の説明】
【００７０】
１００、２００、３００、４００    広告料金設定システム
１１０    広告検索手段
１２０    広告データベース
１３０    関連度算出手段
１４０    番組キーワードデータベース
１５０    広告料金決定手段
１６０    視聴率入力（取得）手段
２１０    受信手段
２２０    番組キーワード取得手段
４１０    広告依頼受付手段
５７０    広告料金割引手段
６０１    受信インタフェース
６０２    ＲＯＭ
６０３    ＣＰＵ
６０４    ＲＡＭ
６０５    ハードディスク
６０６    送信インタフェース
【図１】
2006237893.tif 000003
【図２】
2006237893.tif 000004
【図３】
2006237893.tif 000005
【図４】
2006237893.tif 000006
【図５】
2006237893.tif 000007
【図６】
2006237893.tif 000008
【図７】
2006237893.tif 000009
【図８】
2006237893.tif 000010
【図９】
2006237893.tif 000011
【図１０】
2006237893.tif 000012
【図１１】
2006237893.tif 000013
【図１２】
2006237893.tif 000014